(57)【要約】【課題】バリケードの移動を安定的に行うことができる移動装置を提供する。【解決手段】この移動装置１は、スタンド８１，８２が取り付けられて自立するＡ型バリケード８を移動するものであり、上記スタンド８１が載置されるスタンド載置部１５と、上記スタンド載置部１５を移動させる車輪１６と、上記載置されたスタンドが上記スタンド載置部１５の移動方向にずれるのを規制する第１規制部１１と、上記スタンド８１が上記移動方向と反対の方向にずれるのを規制する第２規制部１２と、上記スタンド８１がその幅方向にずれるのを規制する第３規制部１３と、を備える。【選択図】図１
2019177752.tif 000002
【特許請求の範囲】
【請求項１】
スタンドによって自立するバリケードを移動させる移動装置であって、上記スタンドが載置されるスタンド載置部と、上記スタンド載置部を移動させる車輪と、上記載置されたスタンドが上記バリケードを移動させる方向にずれるのを規制する第１規制部と、上記スタンドが上記移動の方向と反対の方向にずれるのを規制する第２規制部と、上記スタンドがその幅方向にずれるのを規制する第３規制部と、を備えることを特徴とする移動装置。
【請求項２】
請求項１に記載の移動装置において、上記第１規制部と上記第２規制部とが上記スタンドを挿通できる間隔をあけて向かい合わせに設けられていることを特徴とする移動装置。
【請求項３】
請求項２に記載の移動装置において、上記第１規制部および上記第２規制部に凹部が形成されており、この凹部は、上記スタンドに連結される横架部材の上下方向の移動を許容する一方、上記横架部材が上記スタンドの幅方向にずれるのを規制することで上記第３規制部として機能することを特徴とする移動装置。
【請求項４】
請求項１〜請求項３のいずれか１項に記載の移動装置において、上記車輪の軸部が、上記スタンド載置部の中心から上記移動の方向と反対の側にシフトして設けられていることを特徴とする移動装置。
【請求項５】
請求項４に記載の移動装置において、上記車輪の軸部が、上記スタンド載置部の底面よりも上側に設けられていることを特徴とする移動装置。
【請求項６】
請求項１〜請求項５のいずれか１項に記載の移動装置において、上記スタンド載置部に、接地により上記スタンド載置部を支える支え部材を備えていることを特徴とする移動装置。
【請求項７】
請求項１〜請求項６のいずれか１項に記載の移動装置において、上記スタンド載置部がリップ溝形鋼からなり、溝内に上記スタンドの下部が収まることを特徴とする移動装置。
【発明の詳細な説明】
【技術分野】
【０００１】
この発明は、工事現場等に配置されるＡ型バリケード等を移動するのに用いることができる移動装置に関する。
【背景技術】
【０００２】
特許文献１には、道路のＵ字溝、Ｌ字溝、甲蓋等の重量物を運搬する重量物運搬車が開示されている。また、特許文献２には、梯子を運搬するための台車が開示されている。
【０００３】
ところで、工事現場等において、車両や人の出入りを禁止するために、Ａ型バリケードが設置されることがある。このＡ型バリケードは、２個のスタンドと、これら２個のスタンドを連結する横架部材（単管等）を上下に２本配置してなるものであることから、比較的重量があり、その運搬を一人で行うことは容易でなく、また、運搬を二人で行うとすると、工事現場の人件費増大を招くという問題がある。
【先行技術文献】
【特許文献】
【０００４】
【特許文献１】特開平４−２７１９５３号公報
【特許文献２】実開昭６０−１１２６８号公報
【発明の概要】
【発明が解決しようとする課題】
【０００５】
ここで、上記特許文献に記載の重量物運搬車や台車を利用して上記バリケードを移動することが考えられる。しかし、上記台車等に載せ置いたバリケードの移動時の位置ずれを防止することができず、移動を安定的に行うことはできない。
【０００６】
この発明は、上記の事情に鑑み、バリケードの移動を安定的に行うことができる移動装置を提供する。
【課題を解決するための手段】
【０００７】
この発明の移動装置は、上記の課題を解決するために、スタンドによって自立するバリケードを移動させる移動装置であって、上記スタンドが載置されるスタンド載置部と、上記スタンド載置部を移動させる車輪と、上記載置されたスタンドが上記バリケードを移動させる方向にずれるのを規制する第１規制部と、上記スタンドが上記移動の方向と反対の方向にずれるのを規制する第２規制部と、上記スタンドがその幅方向にずれるのを規制する第３規制部と、を備えることを特徴とする。
【０００８】
上記の構成であれば、バリケードの一方の側のスタンドを当該移動装置に載置し、他方のスタンドの側を手で持ち上げてバリケードを移動させることができる。また、上記第１規制部、第２規制部および第３規制部を備えることで、上記バリケードの移動が安定的に行われる。また、上記バリケードを組み上げるときに、当該移動装置上に載置したスタンドを上記規制部によって安定的に保持できるので、バリケードの組み上げも簡単且つ迅速に行うことが可能となる。
【０００９】
上記第１規制部と上記第２規制部とが上記スタンドを挿通できる間隔をあけて向かい合わせに設けられていてもよい。これによれば、上記スタンドの移動の方向への移動規制と上記移動の方向と反対の方向への移動規制を比較的簡単な構造で行うことができる。
【００１０】
上記第１規制部および上記第２規制部に凹部が形成されており、この凹部は、上記スタンドに連結される横架部材の上下方向の移動を許容する一方、上記横架部材が上記スタンドの幅方向にずれるのを規制することで上記第３規制部として機能するようにしてもよい。これによれば、上記第３規制部を簡単な構造で得ることができる。
【００１１】
上記車輪の軸部が、上記スタンド載置部の中心から上記移動の方向と反対の側にシフトして設けられていてもよい。これによれば、上記軸部に対する上記スタンド載置部の傾倒方向が上記移動の方向と一致するため、当該移動装置の扱いが容易になる。
【００１２】
上記車輪の軸部が、上記スタンド載置部の底面よりも上側に設けられていてもよい。これによれば、上記スタンド載置部の位置をあまり高くせずに、車輪の径を大きくして障害物の乗り越えを容易にすることができる。
【００１３】
上記スタンド載置部に、接地により上記スタンド載置部を支える支え部材を備えていてもよい。これによれば、非移動時において上記スタンド載置部の姿勢を上記支え部材で安定させることができる。
【００１４】
上記スタンド載置部がリップ溝形鋼からなり、溝内に上記スタンドの下部が収まるようにしてもよい。これによれば、上記リップ溝形鋼によっても上記スタンドの移動規制を行うことが可能になる。
【発明の効果】
【００１５】
本発明であれば、バリケードの移動時のスタンドのずれを抑制して、移動を安定的に行うことができるという効果を奏する。
【図面の簡単な説明】
【００１６】
【図１】この発明の実施形態の移動装置およびＡ型バリケードを示した斜視による説明図である。
【図２】この発明の実施形態の移動装置およびＡ型バリケードを示した正面視による説明図である。
【図３】この発明の実施形態の移動装置およびＡ型バリケードを示した側面視による説明図である。
【図４】この発明の実施形態の移動装置およびＡ型バリケードを示した平面視による説明図である。
【図５】他の実施形態の移動装置およびＡ型バリケードを示した側面視による説明図である。
【発明を実施するための形態】
【００１７】
以下、この発明の実施形態を添付図面に基づいて説明する。図１に示すように、この実施形態のバリケードの移動装置１は、Ａ型バリケード８を移動できる構成となっている。上記Ａ型バリケード８は、２個のスタンド８１、８２と２本の横架部材８３，８４とを備えることで自立できる構造となっている。上記２個のスタンド８１、８２は、間隔をおいて平行に配置され、上記２本の横架部材８３，８４によって互いに連結される。上記２本の横架部材８３，８４のうち、下側の横架部材８３は上記スタンド８１、８２の補強横棒部８１ａ、８２ａに固定され、上側の横架部材８４は上記スタンド８１、８２の上端部に固定される。この固定は、例えば、補強横棒部８１ａ、８２ａの各々および上記スタンド８１、８２の各々に取り付けられたパイプ固定金具によって行うことができる。
【００１８】
上記移動装置１は、図２、図３および図４にも示すように、上記スタンド８１の載置および取り外しが行えるスタンド載置部１５を備えている。そして、上記スタンド載置部１５は、例えば、リップ溝形鋼からなり、その溝内に上記スタンド８１の下部が収まるようになっている。すなわち、上記リップ溝形鋼におけるリップ間の間隔は上記スタンド８１の直径或いは厚さよりも幾分広くされている。また、上記スタンド載置部１５は上記スタンド８１の幅よりも幾分広い長さを有している。
【００１９】
また、上記移動装置１は、上記スタンド載置部１５を移動させる車輪１６を備える。ここで、上記スタンド載置部１５の基本の移動方向は、上記車輪１６の走行する方向であって、上記スタンド８２が位置する側（補強横棒部８１ａ、８２ａの延びる方向）となる。また、上記車輪１６を支持する軸部１６ａは、上記スタンド載置部１５の中心から上記移動方向と反対の側（後ろ側）にシフトして設けられている。また、上記車輪１６の軸部１６ａは、上記スタンド載置部１５の底面よりも上側に設けられている。この例では、上記軸部１６ａは、上記リップ溝形鋼における後ろ側の立ち上げ面部の上端近傍位置に溶接固定されている。
【００２０】
また、上記移動装置１は、上記スタンド載置部１５に載置された上記スタンド８１が上記移動方向にずれるのを規制する第１規制部１１と、上記スタンド８１が上記移動方向と反対の方向にずれるのを規制する第２規制部１２とを、上記スタンド８１を挿通できる間隔をおいて向かい合わせに備えている。この例では、上記第１規制部１１は、上記リップ溝形鋼における前側（移動方向側）のリップ部上に溶接固定されており、上記第２規制部１２は、上記リップ溝形鋼における後ろ側のリップ部上に溶接固定されている。
【００２１】
また、上記第１規制部１１は、鉛直部と傾斜部を有する山形状の棒状部材を２個用いてなり、上記鉛直部を向かい合わせにして凹部１３が形成されるように設けられている。同様に、上記第２規制部１２も、鉛直部と傾斜部を有する山形状の棒状部材を２個用いてなり、上記鉛直部を向かい合わせにして凹部１３が形成されるように設けられている。なお、２個の山形状の棒状部材を用いるのではなく、略Ｍ字状に棒状部材を加工して凹部を得ることもできる。
【００２２】
上記凹部１３は、上記スタンド８１に連結される横架部材８３の上下方向の移動を許容する一方、上記スタンド８１がその幅方向にずれるのを規制する第３規制部（この第３規制部には凹部と同一の符号１３を付記する）１３として機能する。この第３規制部１３は、上記横架部材８３の左右方向の移動を規制することで上記スタンド８１の幅方向移動を規制する。もちろん、第３規制部１３は、第１規制部および第２規制部から独立して存在し、例えば、上記スタンド載置部１５に設けられるものでもよい。
【００２３】
また、上記スタンド載置部１５は、接地により上記スタンド載置部１５を支える支え部材１７を備えている。この例では、上記支え部材１７は回動可能に設けられており、移動時には上記回動によって支え部材１７を地面から離間させることができる。
【００２４】
上記の構成であれば、Ａ型バリケード８の一方の側のスタンド８１を当該移動装置１に載置し、他方のスタンド８２の側を手で持ち上げてＡ型バリケード８を移動させることができる。また、上記第１規制部１１、第２規制部１２および第３規制部１３を備えることで、上記Ａ型バリケード８の移動が安定的に行われる。また、上記Ａ型バリケード８を組み上げるときに、当該移動装置１上に載置したスタンド８１を上記規制部１１，１２，１３によって安定的に保持できるので、バリケードの組み上げも簡単且つ迅速に行うことが可能となる。
【００２５】
上記第１規制部１１と上記第２規制部１２とが上記スタンド８１を挿通できる間隔をあけて向かい合わせに設けられていると、上記スタンド８１の移動方向への移動規制と上記移動方向と反対の方向への移動規制を比較的簡単な構造で行うことができる。
【００２６】
上記凹部１３が上記第３規制部１３として機能すると、上記第３規制部１３を簡単な構造で得ることができる。
【００２７】
上記スタンド載置部１５に、接地により上記スタンド載置部１５を支える支え部材１７を備えると、非移動時において上記スタンド載置部１５の姿勢を上記支え部材１７で安定させることができる。
【００２８】
上記スタンド載置部１５がリップ溝形鋼からなり、溝内に上記スタンド８１の下部が収まるようにすると、上記リップ溝形鋼によっても上記スタンド８１の移動規制を行うことが可能になる。
【００２９】
上記車輪１６の軸部１６ａが、上記スタンド載置部１５の中心から上記移動方向と反対の側にシフトして設けられていると、上記軸部１６ａに対する上記スタンド載置部１５の傾倒方向が上記移動方向と一致するため、当該移動装置１の扱いが容易になる。また、上記車輪１６の軸部１６ａが、上記スタンド載置部１５の底面よりも上側に設けられていると、上記スタンド載置部１５の位置をあまり高くせずに、車輪１６の径を大きくして障害物の乗り越えを容易にすることができる。
【００３０】
もちろん、このような構成に限るものではなく、例えば、図５に示すように、上記車輪１６０の軸部１６ａが、上記スタンド載置部１５の中心に存在してもよく、また、上記車輪１６０の軸部１６ａが、上記スタンド載置部１５の底面以下に設けられていてもよいものである。また、上記スタンド載置部１５は山形鋼を用いて作製してもよいし、平鋼を用いて作製してもよいものである。また、上記第１規制部１１および上記第２規制部１２は板材を用いて作製してもよいものである。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      ：移動装置
８      ：Ａ型バリケード
１１    ：第１規制部
１２    ：第２規制部
１３    ：第３規制部（凹部）
１５    ：スタンド載置部
１６    ：車輪
１６０  ：車輪
１６ａ  ：軸部
１７    ：支え部材
８１    ：スタンド
８１ａ  ：補強横棒部
８２    ：スタンド
８２ａ  ：補強横棒部
８３    ：横架部材
８４    ：横架部材
【図１】
2019177752.tif 000003
【図２】
2019177752.tif 000004
【図３】
2019177752.tif 000005
【図４】
2019177752.tif 000006
【図５】
2019177752.tif 000007